(57)【要約】【課題】  無線通信を行うカメラユニット間で配信される映像を任意に選択して記録する無線カメラシステムおよび無線カメラ通信方法を提供することを課題とする。【解決手段】  本発明の無線カメラシステムは、会場内の映像および音声を取得し、取得された映像および音声を無線通信によりリアルタイムで配信する複数のカメラユニット１，２，３からなる送信部と、会場内または会場外で送信部とは異なる自らの位置および角度で映像および音声を取得し、送信部によりリアルタイムで配信される複数の映像および音声を受信し、リアルタイムで配信される複数の映像および音声および自らの映像および音声のうちのいずれかを選択的に切り替え、リアルタイム配信映像および自らの映像または切り替えられた映像を表示し、切り替えられた映像および音声を記録する複数のカメラユニット５−１，５−２，５−３，５−４からなる受信部とを備えたものである。【選択図】        図１
2005051710.tif 000002
【特許請求の範囲】
【請求項１】
イベント会場内の複数の位置および角度で映像および音声を取得する複数のカメラ部と、取得された複数の映像および音声を無線通信によりリアルタイムで配信する無線通信部とを有する複数のカメラユニットからなる送信部と、
上記イベント会場内または会場外で上記送信部の位置および角度とは異なる自らの位置および角度で映像および音声を取得するカメラ部と、上記送信部によりリアルタイムで配信される複数の映像および音声を受信する無線通信部と、上記リアルタイムで配信される複数の映像および音声ならびに上記自らの位置および角度の映像および音声のうちのいずれかを選択的に切り替えるスイッチ部と、上記リアルタイムで配信される複数の映像および上記自らの位置および角度の映像または上記切り替えられた映像を表示する表示部と、上記切り替えられた映像および音声を記録する記録部とを有する複数のカメラユニットからなる受信部と
を備えた無線カメラシステム。
【請求項２】
請求項１に記載の無線カメラシステムにおいて、
上記送信部の複数のカメラユニットのカメラ部における光学調整および／または映像信号処理をコントロールするコントロール部を上記送信部のカメラユニットのいずれかに設け、上記リアルタイムの複数の映像および音声の配信に先立って、上記送信部のカメラユニットと上記送信部のコントロール部との間で上記光学調整および／または映像信号処理を行うための設定に関して無線通信によりネゴシエーションをすることを特徴とする無線カメラシステム。
【請求項３】
請求項２に記載の無線カメラシステムにおいて、
上記ネゴシエーションに替えて、上記送信部のコントロール部に予め設定された設定値に基づいて上記光学調整および／または映像信号処理を行うことを特徴とする無線カメラシステム。
【請求項４】
請求項２に記載の無線カメラシステムにおいて、
上記送信部のコントロール部の設定に基づいて、上記送信部の複数のカメラユニットのカメラ部のいずれかにより取得される映像および音声は高画質映像および高音質音声となり、他の映像および音声は通常画質映像および通常音質音声とすることを特徴とする無線カメラシステム。
【請求項５】
請求項１に記載の無線カメラシステムにおいて、
上記送信部の複数のカメラユニットのカメラ部における光学調整および／または映像信号処理をコントロールするコントロール部を上記受信部のカメラユニットのいずれかに設け、上記リアルタイムの複数の映像および音声の配信に先立って、上記受信部のカメラユニットのコントロール部と上記送信部との間で上記光学調整および／または映像信号処理を行うための設定に関して無線通信によりネゴシエーションをすることを特徴とする無線カメラシステム。
【請求項６】
請求項５に記載の無線カメラシステムにおいて、
上記ネゴシエーションに替えて、上記受信部のコントロール部に予め設定された設定値に基づいて上記光学調整および／または映像信号処理を行うことを特徴とする無線カメラシステム。
【請求項７】
請求項５に記載の無線カメラシステムにおいて、
上記受信部のコントロール部の設定に基づいて、上記送信部の複数のカメラユニットのカメラ部のいずれかにより取得される映像および音声は高画質映像および高音質音声となり、他の映像および音声は通常画質映像および通常音質音声となることを特徴とする無線カメラシステム。
【請求項８】
イベント会場内の複数の位置および角度で映像および音声を複数のカメラ部により取得するステップと、取得された複数の映像および音声を無線通信部の無線通信によりリアルタイムで配信するステップとを有する複数のカメラユニットからなる送信部を用いた送信ステップと、
上記イベント会場内または会場外で上記送信部の位置および角度とは異なる自らの位置および角度で映像および音声をカメラ部により取得するステップと、上記送信部によりリアルタイムで配信される複数の映像および音声を無線通信部により受信するステップと、上記リアルタイムで配信される複数の映像および音声ならびに上記自らの位置および角度の映像および音声のうちのいずれかをスイッチ部により選択的に切り替えるステップと、上記リアルタイムで配信される複数の映像および上記自らの位置および角度の映像または上記切り替えられた映像を表示部により表示するステップと、上記切り替えられた映像および音声を記録部により記録するステップとを有する複数のカメラユニットからなる受信部を用いた受信ステップと
を備えた無線カメラ通信方法。
【請求項９】
請求項８に記載の無線カメラ通信方法において、
上記送信部の複数のカメラユニットのカメラ部における光学調整および／または映像信号処理をコントロールする上記送信部のカメラユニットのいずれかに設けられたコントロール部により、上記リアルタイムの複数の映像および音声の配信に先立って、上記送信部のカメラユニットと上記送信部のコントロール部との間で上記光学調整および／または映像信号処理を行うための設定に関して無線通信によりネゴシエーションをすることを特徴とする無線カメラ通信方法。
【請求項１０】
請求項９に記載の無線カメラ通信方法において、
上記ネゴシエーションに替えて、上記送信部のコントロール部に予め設定された設定値に基づいて上記光学調整および／または映像信号処理を行うことを特徴とする無線カメラ通信方法。
【請求項１１】
請求項９に記載の無線カメラ通信方法において、
上記送信部のコントロール部の設定に基づいて、上記送信部の複数のカメラユニットのカメラ部のいずれかにより取得される映像および音声は高画質映像および高音質音声となり、他の映像および音声は通常画質映像および通常音質音声とすることを特徴とする無線カメラ通信方法。
【請求項１２】
請求項８に記載の無線カメラ通信方法において、
上記送信部の複数のカメラユニットのカメラ部における光学調整および／または映像信号処理をコントロールする上記受信部のカメラユニットのいずれかに設けられたコントロール部により、上記リアルタイムの複数の映像および音声の配信に先立って、上記受信部のカメラユニットのコントロール部と上記送信部との間で上記光学調整および／または映像信号処理を行うための設定に関して無線通信によりネゴシエーションをすることを特徴とする無線カメラ通信方法。
【請求項１３】
請求項１２に記載の無線カメラ通信方法において、
上記ネゴシエーションに替えて、上記受信部のコントロール部に予め設定された設定値に基づいて上記光学調整および／または映像信号処理を行うことを特徴とする無線カメラ通信方法。
【請求項１４】
請求項１２に記載の無線カメラ通信方法において、
上記受信部のコントロール部の設定に基づいて、上記送信部の複数のカメラユニットのカメラ部のいずれかにより取得される映像および音声は高画質映像および高音質音声となり、他の映像および音声は通常画質映像および通常音質音声となることを特徴とする無線カメラ通信方法。
【発明の詳細な説明】
【技術分野】
【０００１】
本発明は、各種イベントにおけるカメラユニットで取得される映像を無線通信して記録する無線カメラシステムおよび無線カメラ通信方法に関する。
【背景技術】
【０００２】
従来、結婚式などの各種イベントにおけるカメラシステムにより取得された映像のサービスには、特許文献１に開示されているような各種結婚式場における画像表示システムがあった。この特許文献１のシステムでは、参列者が新郎新婦による指輪交換などの各種儀式を会場内に設置されたモニターなどでカメラ映像として見ることができる。
【０００３】
また、特許文献２に開示されているデータ配信装置及びデータ配信システムでは、結婚披露宴などにおける撮影対象や録音対象を的確に撮影したり録音したりして、それらのデータをサーバーに蓄えておき、いつでもどこからでもネットワークを経由して、それらのデータを取得できるサービスである。
【０００４】
さらに、特許文献３に開示されている結婚式及び結婚披露宴のライブ中継システムでは、結婚式会場に来られない遠隔地や海外に在住している友人や知人、親戚などに対して、ネットワークを介して、その模様をリアルタイムに鑑賞してもらうサービスである。
【特許文献１】特開２００１−３３９７１７号公報
【特許文献２】特開２００２−１５８９９０号公報
【特許文献３】特開２００１−３１９０００号公報
【発明の開示】
【発明が解決しようとする課題】
【０００５】
しかし、この特許文献１のシステムでは各種行事の議事進行をその場で見ることしかできず、これをユーザーが選択して表示および記録することができないという不都合があった。また、この特許文献２のシステムではいったん記録した後に映像や音声を配信するため、リアルタイムに議事進行と共に映像や音声を得て、これをユーザーが選択して表示および記録することはできないという不都合があった。また、この特許文献３のシステムでは、ネットワークを介して映像を中継するため、インターネットのインフラ環境やネットワーク環境が設けられていない環境では、鑑賞者は結婚式及び結婚披露宴の模様をユーザーが選択して表示および記録することができないという不都合があった。
【０００６】
このように従来のサービスでは、結婚式や披露宴会場の模様を、その場でリアルタイムに自分の所持しているビデオカメラやデジタルカメラに、会場に設置されたカメラの映像や音声を任意に選んで自由に記録することができないという不都合があった。
【０００７】
本発明は、無線通信を行うカメラユニット間で配信される映像を任意に選択して記録する無線カメラシステムおよび無線カメラ通信方法を提供することを課題とする。
【課題を解決するための手段】
【０００８】
上記課題を解決し、本発明の課題を達成するため、本発明の無線カメラシステムは、イベント会場内の複数の位置および角度で映像および音声を取得する複数のカメラ部と、取得された複数の映像および音声を無線通信によりリアルタイムで配信する無線通信部とを有する複数のカメラユニットからなる送信部と、イベント会場内または会場外で送信部の位置および角度とは異なる自らの位置および角度で映像および音声を取得するカメラ部と、送信部によりリアルタイムで配信される複数の映像および音声を受信する無線通信部と、リアルタイムで配信される複数の映像および音声ならびに自らの位置および角度の映像および音声のうちのいずれかを選択的に切り替えるスイッチ部と、リアルタイムで配信される複数の映像ならびに自らの位置および角度の映像または切り替えられた映像を表示する表示部と、切り替えられた映像および音声を記録する記録部とを有する複数のカメラユニットからなる受信部とを備えたものである。
【０００９】
また、本発明の無線カメラ通信方法は、イベント会場内の複数の位置および角度で映像および音声を複数のカメラ部により取得するステップと、取得された複数の映像および音声を無線通信部の無線通信によりリアルタイムで配信するステップとを有する複数のカメラユニットからなる送信部を用いた送信ステップと、イベント会場内または会場外で送信部の位置および角度とは異なる自らの位置および角度で映像および音声をカメラ部により取得するステップと、送信部によりリアルタイムで配信される複数の映像および音声を無線通信部により受信するステップと、リアルタイムで配信される複数の映像および音声ならびに自らの位置および角度の映像および音声のうちのいずれかをスイッチ部により選択的に切り替えるステップと、リアルタイムで配信される複数の映像ならびに自らの位置および角度の映像または切り替えられた映像を表示部により表示するステップと、切り替えられた映像および音声を記録部により記録するステップとを有する複数のカメラユニットからなる受信部を用いた受信ステップとを備えたものである。
【００１０】
これによれば、例えば、結婚式場や披露宴会場などのイベント会場に設置された送信専用カメラユニットの映像や音声を無線通信で配信し、列席者がそれらの素材を各自好きなように各自のカメラユニットに記録できるシステムを得ることができるので、ネットワークなどの特別の設備を設けなくとも無線通信によって他のカメラユニットの情報が得られる。また、サーバーなどを介さずに直接他のカメラユニットの情報が得られる。また、リアルタイムに複数台のカメラユニットの情報が得られる。
【発明の効果】
【００１１】
本発明によれば、無線通信を行うカメラユニット間で配信される映像を任意に選択して記録することができるので、例えば、結婚式場や披露宴会場などのイベント会場に設置された送信専用カメラユニットの映像や音声を無線通信で配信し、列席者がそれらの素材を各自好きなように各自のカメラユニットに記録できる。これにより、列席者側から撮影できないアングルの結婚式映像を録画できる。また、真上や斜め上からの全体映像を録画できる。また、撮影者が動かなくてもいろいろな位置からの映像を録画できる。また、その場で好きな映像を選択するので、編集作業が大幅に低減できる。
【発明を実施するための最良の形態】
【００１２】
本発明の実施の形態による無線カメラシステムの適用例を図１及び図２に示す。
図１は結婚式場における無線カメラシステムの設置例を示しており、結婚式場１０の中央最前列の牧師席１１側からバージンロードを進む主賓１２の映像を正面手前方向に向けて撮像すると共に撮像方向の音声を収録するカメラユニット１と、主賓１２および手前右側のユーザー１３−１、１３−２で示す列席者側を右側手前方向に向けて撮像すると共に撮像方向の音声を収録するカメラユニット２と、主賓１２および手前左側のユーザー１３−３、１３−４で示す列席者側を左側手前方向に向けて撮像すると共に撮像方向の音声を収録するカメラユニット３と、を主賓１２、ユーザー１３−１、１３−２、ユーザー１３−３、１３−４に対して、それぞれ正対するような位置に配置して、送信部のカメラユニット１と、カメラユニット２と、カメラユニット３のカメラ撮像映像および収録音声のすべてを無線通信によりリアルタイムで配信している例である。
【００１３】
このとき、結婚式場１０の手前右側のユーザー１３−１、１３−２は、受信部の自らのカメラユニット５−１、５−２により手前右側から自らのカメラ撮像映像を撮像すると共に撮像方向の音声を収録し、自らのカメラ撮像映像とは異なる送信部のカメラユニット１と、カメラユニット２と、カメラユニット３のカメラ撮像映像および自らのカメラユニット５−１、５−２により手前右側から撮像された自らのカメラ撮像映像のうちのいずれかを選択して表示して、選択されたカメラ撮像映像を記録することができる。
【００１４】
また、結婚式場１０の手前左側のユーザー１３−３、１３−４は、受信部の自らのカメラユニット５−３、５−４により手前左側から自らのカメラ撮像映像を撮像すると共に撮像方向の音声を収録し、自らのカメラ撮像映像とは異なる送信部のカメラユニット１と、カメラユニット２と、カメラユニット３のカメラ撮像映像および自らのカメラユニット５−３、５−４により手前左側から撮像された自らのカメラ撮像映像のうちのいずれかを選択して表示して、選択されたカメラ撮像映像を記録することができる。
【００１５】
したがって、結婚式場１０の式次第の進行に応じて主賓１２、ユーザー１３−１、１３−２、ユーザー１３−３、１３−４などがその位置を移動したりする場合や、また、結婚式場１０の式次第の進行に応じてユーザー１３−１、１３−２、ユーザー１３−３、１３−４が映像を撮像してその音声を収録したい場面となる式場内で盛り上がっているその場の位置や角度が移動する場合でも、リアルタイムで配信されるカメラ撮像映像のうちから任意に選択して自らのカメラユニット５−１、５−２、５−３、５−４により表示して、選択されたカメラ撮像映像を記録することができる。
【００１６】
この場合、当然のことであるが本発明の実施の形態による無線カメラシステムを用いたカメラ撮像映像のサービスにおいて、送信部のカメラユニット１と、カメラユニット２と、カメラユニット３の配置は、この配置に限定しておらず、送信部のカメラユニット１と、カメラユニット２と、カメラユニット３の設置位置としては、結婚式場１０の天井や側壁、床面場など他の位置および他の角度で配置自由である。送信部の各設置カメラユニット１と、カメラユニット２と、カメラユニット３のカメラ撮像映像は、それに近いところにあるスクリーンやモニター４に映しても構わないし、特に図示していないが、マルチ画面表示のようにして、１台もしくは複数台のディスプレイに表示しても構わない。
【００１７】
図２は披露宴会場における無線カメラシステムの設置例を示しており、披露宴会場２０の中央最前列の主賓席１２側から丸テーブルのユーザー１３−１、１３−２、１３−３、１３−４で示す列席者側の映像を正面手前方向に向けて撮像すると共に撮像方向の音声を収録するカメラユニット１と、主賓１２および手前右側のユーザー１３−１、１３−２で示す列席者側を右側手前方向に向けて撮像すると共に撮像方向の音声を収録するカメラユニット２と、主賓１２および手前左側のユーザー１３−３、１３−４で示す列席者側を左側手前方向に向けて撮像すると共に撮像方向の音声を収録するカメラユニット３と、を主賓１２、ユーザー１３−１、１３−２、ユーザー１３−３、１３−４に対して、それぞれ正対するような位置に配置して、送信部のカメラユニット１と、カメラユニット２と、カメラユニット３のカメラ撮像映像および収録音声のすべてを無線通信によりリアルタイムで配信している例である。
【００１８】
このとき、披露宴会場２０の手前右側のユーザー１３−１、１３−２は、受信部の自らのカメラユニット５−１、５−２により手前右側から自らのカメラ撮像映像を撮像すると共に撮像方向の音声を収録し、自らのカメラ撮像映像とは異なる送信部のカメラユニット１と、カメラユニット２と、カメラユニット３のカメラ撮像映像および自らのカメラユニット５−１、５−２により手前右側から撮像された自らのカメラ撮像映像のうちのいずれかを選択して表示して、選択されたカメラ撮像映像を記録することができる。
【００１９】
また、披露宴会場２０の手前左側のユーザー１３−３、１３−４は、受信部の自らのカメラユニット５−３、５−４により手前左側から自らのカメラ撮像映像を撮像すると共に撮像方向の音声を収録し、自らのカメラ撮像映像とは異なる送信部のカメラユニット１と、カメラユニット２と、カメラユニット３のカメラ撮像映像および自らのカメラユニット５−３、５−４により手前左側から撮像された自らのカメラ撮像映像のうちのいずれかを選択して表示して、選択されたカメラ撮像映像を記録することができる。
【００２０】
したがって、披露宴会場２０の披露宴の進行に応じて主賓１２、ユーザー１３−１、１３−２、ユーザー１３−３、１３−４などがその位置を移動したりする場合や、また、披露宴会場２０の披露宴の進行に応じてユーザー１３−１、１３−２、ユーザー１３−３、１３−４が映像を撮像してその音声を収録したい場面であって会場内で盛り上がっているその場の位置や角度が移動する場合でも、リアルタイムで配信されるカメラ撮像映像のうちから任意に選択して自らのカメラユニット５−１、５−２、５−３、５−４により表示して、選択されたカメラ撮像映像を記録することができる。
【００２１】
この場合、同様に本発明の実施の形態による無線カメラシステムを用いたカメラ撮像映像のサービスにおいて、送信部のカメラユニット１と、カメラユニット２と、カメラユニット３の配置は、この配置に限定しておらず、送信部のカメラユニット１と、カメラユニット２と、カメラユニット３の設置位置としては、披露宴会場２０の天井や側壁、床面場など他の位置および他の角度で配置自由である。送信部の各設置カメラユニット１と、カメラユニット２と、カメラユニット３のカメラ撮像映像は、それに近いところにあるスクリーンやモニター４に映しても構わないし、特に図示していないが、マルチ画面表示のようにして、１台もしくは複数台のディスプレイに表示しても構わない。
【００２２】
本発明の実施の形態に用いる無線カメラシステムのブロック図を図３に示す。
無線カメラシステムは、式場に設置される送信部のカメラユニット１、２、３と、ユーザーが所持している受信部のカメラユニット５−１、５−２、５−３、５−４で構成されており、各々のカメラユニットを構成するブロック図について順に説明する。
【００２３】
まず、式場に設置される送信部のカメラユニット１、２、３は、大別すると被写体を撮像して映像信号を出力するカメラ部ブロック３１−１、３２−１、３３−１と、映像信号を信号処理する信号処理部ブロック３１−２、３２−２、３３−２と、カメラ部ブロックおよび信号処理部ブロックの制御を司る制御部ブロック３１−４、３２−４、３３−４と、映像信号を送信する送受信部ブロック３１−３、３２−３、３３−３と、アンテナ部ブロック３１−６、３２‐６，３３‐６の５ブロックで構成される。
【００２４】
ここで、カメラユニット１の送受信部ブロック３１−３のみは、この他に、カメラ撮像映像の配信に先立ってカメラ部ブロックおよび／または信号処理部ブロックの光学調整および／または映像信号処理を行うための設定のための選択データを他の送受信部ブロック３２−３、３３−３に対して送信する。
【００２５】
また、このほかに、カメラユニット１には、送信部のカメラユニット１、２、３のカメラ部および／または信号処理部の光学調整および／または映像信号処理を行うためのパラメータなどの設定をするコントローラブロック３１−５が設けられる。
【００２６】
また、ここでは、コントローラブロック３１−５のパラメータなどの設定により、メインのカメラユニット１は高画質のカメラ撮像映像を撮像するようにし、サブのカメラユニット２、３は通常画質のカメラ撮像映像を撮像するようにするようにしてもよい。
【００２７】
また、メインのカメラユニット１は３６０度の全方位の各画角を連続して撮像する全方位カメラを使用してもよい。
【００２８】
次に、ユーザーが所持している受信部のカメラユニット５−１は、大別すると被写体を撮像して映像信号を出力するカメラ部ブロック３４−１と、映像信号を信号処理してカメラ撮像映像を出力する信号処理部ブロック３４−２と、表示部ブロック３４−７に表示しおよび記録部ブロック４３−６で記録するカメラ撮像映像および音声を選択するスイッチ部ブロック３４−３と、カメラ部ブロック４３−１、信号処理部ブロック４３−２および記録部ブロック４３−６の制御を司る制御部ブロック３４−４と、スイッチ部ブロック３４−３で選択されたカメラ撮像映像を表示すると共にスピーカを内蔵している場合は音声を出力する表示部ブロック３４−７と、スイッチ部ブロック３４−３で選択されたカメラ撮像映像および音声を記録する記録部ブロック４３−６と、映像信号を受信すると共に送信部のカメラ撮像映像の選択データを送信する送受信部ブロック３４−８、アンテナ部ブロック４３−９の９ブロックで構成される。なお、他のカメラユニット５−２、５−３、５−４も同様に構成される。
【００２９】
このように構成された送信部の各部は以下に説明するように動作する。
まず、カメラ撮像映像の配信に先立って、送信部のカメラユニット１、２、３の送受信部ブロック３１−３、３２−３、３３−３間のネゴシエーションにより受信したカメラ部ブロック３１−１、３２−１、３３−１および／または信号処理部ブロック３１−２、３２−２、３３−２の光学調整および／または映像信号処理を行うための設定のための選択データに基づいて、カメラユニット１のコントローラブロック３１−５は、送信部のカメラユニット１、２、３のカメラ部ブロック３１−１、３２−１、３３−１および／または信号処理部ブロック３１−２、３２−２、３３−２の光学調整および／または映像信号処理を行うためのパラメータなどの設定をする。
【００３０】
なお、この送信部のカメラユニット１、２、３の送受信部ブロック３１−３、３２−３、３３−３間のネゴシエーションに替えて、カメラユニット１のコントローラブロック３１−５は、予めデフォルト値として設定されたパラメータを設定してもよい。
【００３１】
送信部のカメラユニット１、２、３のカメラ部ブロック３１−１、３２−１、３３−１では、式場の画像を撮像し、マイクを内蔵している場合は、式場の音声を収録する。信号処理部ブロック３１−２、３２−２、３３−２では、カメラ部ブロック３１−１、３２−１、３３−１から得られた画像や音声を解像度変換やモード変換したり、増幅したり、位相調整したり、補正したり、符号化したり、暗号化したり、種々のフィルタ処理などのように加工して、いわゆる一般的に言われているベースバンド処理を行う。
【００３２】
制御部ブロック３１−４、３２−４、３３−４では、カメラ部ブロック３１−１、３２−１、３３−１や信号処理部ブロック３１−２、３２−２、３３−２のクロック管理や各種動作の制御を行う。送受信部ブロック３１−３、３２−３、３３−３では、信号処理部ブロック３１−２、３２−２、３３−２より送られてくる信号を無線通信できるように変調処理を行うと共に、アンテナブロック３１−６、３２‐６，３３‐６から送られてきた信号の復調処理を行う。アンテナブロック３１−６、３２‐６，３３‐６では、送受信部ブロック３１−３、３２−３、３３−３で変調された信号の送出及び他の機器から送られてくる信号の受信を行う。
【００３３】
また、上述したように構成された受信部の各部は以下に説明するように動作する。
受信部のカメラ部ブロック３４−１では、ユーザーの視点に立って自ら撮像した自カメラ撮像映像の画像を撮像して映像信号を出力し、マイクを内蔵している場合は、ユーザーの周囲の音声を収録して音声信号を出力する。信号処理部ブロック４３−２では、カメラ部ブロック３４−１から得られた自カメラ撮像映像の映像信号および音声信号を解像度変換やモード変換したり、増幅したり、位相調整したり、補正したり、符号化したり、暗号化したり、種々のフィルタ処理などのように加工してカメラ撮像映像および音声を出力すると共に、アンテナ部ブロック４３−９を介して送信部のカメラユニット１、２、３から送られてきた他のカメラ撮像映像の画像および音声を解像度変換やモード変換したり、増幅したり、位相調整したり、補正したり、復号化したり、解錠したり、種々のフィルタ処理などを施す。
【００３４】
スイッチ部ブロック３４−３は、表示部ブロック３４−７に表示すると共にスピーカを内蔵している場合は音声を出力しおよび記録部ブロック４３−６で記録するカメラ撮像映像の映像信号および音声信号を選択する。スイッチ部ブロック３４−３は、送信部のカメラユニット１、２、３から送られてきた他のカメラ撮像映像の映像信号および音声信号および自カメラ撮像映像の映像信号および音声信号のうちのいずれかのカメラ撮像映像の映像信号および音声信号をユーザーの入力指示により選択して出力する。
【００３５】
制御部ブロック３４−４では、カメラ部ブロック３４−１や信号処理部ブロック４３−２及び記録部ブロック４３−６のクロック管理や各種動作の制御を行う。表示部ブロック３４−７では、信号処理部ブロック４３−２より送られてくる自カメラ撮像映像または他のカメラ撮像映像画像の映像信号を電子ビューファインダ（ＥＶＦ）や液晶パネルなどの表示部ブロック３４−７に表示する。
【００３６】
表示部ブロック３４−７は、スイッチ部ブロック３４−３による選択前には送信部のカメラユニット１、２、３から送られてきた他のカメラ撮像映像の映像信号および音声信号ならびに自カメラ撮像映像の映像信号および音声信号のすべてを表示すると共にスピーカを内蔵している場合は音声を出力し、表示部ブロック３４−７は、スイッチ部ブロック３４−３による選択後には送信部のカメラユニット１、２、３から送られてきた他のカメラ撮像映像の映像信号および音声信号または自カメラ撮像映像の映像信号および音声信号のうちのユーザーの入力指示により選択して出力されるいずれかのカメラ撮像映像を表示すると共にスピーカを内蔵している場合は音声を出力する。
【００３７】
記録部ブロック４３−６では、ユーザーの所持しているカメラユニットに備わっている各種記録メディアに、ユーザーの所持しているカメラユニット５−１、５−２、５−３、５−４で自ら撮像した自カメラ撮像映像の画像および音声またはアンテナ部ブロック４３−９を介して送信部のカメラユニット１、２、３から送られてきた他のカメラ撮像映像の映像信号や音声信号のいずれかのカメラ撮像映像の映像信号および音声信号の記録を行う。
【００３８】
送受信部ブロック３４−８では、アンテナ部ブロック４３−９を介して送信部のカメラユニット１、２、３から送られてきた映像信号の復調処理を行う。アンテナ部ブロック４３−９では、式場に設置された送信部のカメラユニット１、２、３から送られてくる他のカメラ撮像映像の画像や音声信号の受信を行う。
なお、他のカメラユニット５−２、５−３、５−４も同様に動作する。
【００３９】
他の無線カメラシステムのブロック図を図４に示す。
図４に示す他の無線カメラシステムが図３に示した無線カメラシステムと異なる点は、図３に示した無線カメラシステムにおいて送信部のカメラユニット１に設けられていたコントローラブロック３１−５が、図４に示す他の無線カメラシステムにおいて受信部のカメラユニット５−１にコントローラブロック３４−５として設けられる点および受信部のコントローラブロック３４−５を設けたカメラユニット５−１から送信部のカメラユニット１、２、３に対する設定を行う点である。他の構成および動作は図３と同様である。
【００４０】
他の無線カメラシステムは、式場に設置される送信部のカメラユニット１、２、３と、ユーザーが所持している受信部のカメラユニット５−１、５−２、５−３、５−４で構成されており、各々のカメラユニットを構成するブロック図について順に説明する。
【００４１】
まず、式場に設置される送信部のカメラユニット１、２、３は、大別すると被写体を撮像して映像信号を出力するカメラ部ブロック３１−１、３２−１、３３−１と、映像信号を信号処理する信号処理部ブロック３１−２、３２−２、３３−２と、カメラ部ブロックおよび信号処理部ブロックの制御を司る制御部ブロック３１−４、３２−４、３３−４と、映像信号を送信すると共にカメラ撮像映像の配信に先立ってカメラ部ブロックおよび／または信号処理部ブロックの光学調整および／または映像信号処理を行うための設定のための選択データを受信部のコントローラブロック３４−５を設けたカメラユニット５−１から受信する送受信部ブロック３１−３、３２−３、３３−３と、アンテナブロック３１−６、３２‐６，３３‐６の５ブロックで構成される。
【００４２】
また、メインのカメラユニット１は３６０度の全方位の各画角を連続して撮像する全方位カメラを使用してもよい。
【００４３】
次に、ユーザーが所持している受信部のカメラユニット５−１は、大別すると被写体を撮像して映像信号を出力するカメラ部ブロック３４−１と、映像信号を信号処理してカメラ撮像映像を出力する信号処理部ブロック３４−２と、表示部ブロック３４−７に表示しおよび記録部ブロック４３−６で記録するカメラ撮像映像および音声を選択するスイッチ部ブロック３４−３と、カメラ部ブロック４３−１、信号処理部ブロック４３−２および記録部ブロック４３−６の制御を司る制御部ブロック３４−４と、スイッチ部ブロック３４−３で選択されたカメラ撮像映像を表示すると共にスピーカを内蔵している場合は音声を出力する表示部ブロック３４−７と、スイッチ部ブロック３４−３で選択されたカメラ撮像映像および音声を記録する記録部ブロック４３−６と、映像信号を受信すると共に送信部のカメラ撮像映像の選択データを送信する送受信部ブロック３４−８、アンテナ部ブロック４３−９の９ブロックで構成される。
【００４４】
また、このほかに、カメラユニット５−１には、送信部のカメラユニット１、２、３のカメラ部および／または信号処理部の光学調整および／または映像信号処理を行うためのパラメータなどの設定をするコントローラブロック３４−５が設けられる。
【００４５】
また、ここでは、コントローラブロック３４−５のパラメータなどの設定により、送信部のメインのカメラユニット１は高画質のカメラ撮像映像を撮像するようにし、サブのカメラユニット２、３は通常画質のカメラ撮像映像を撮像するようにしてもよい。
なお、他のカメラユニット５−２、５−３、５−４もコントローラブロック３４−５を除き同様に構成される。
【００４６】
このように構成された送信部の各部は以下に説明するように動作する。
まず、カメラ撮像映像の配信に先立って、受信部のコントローラブロック３４−５を設けたカメラユニット５−１と送信部のカメラユニット１、２、３の送受信部ブロック３１−３、３２−３、３３−３間のネゴシエーションにより受信したカメラ部ブロック３１−１、３２−１、３３−１および／または信号処理部ブロック３１−２、３２−２、３３−２の光学調整および／または映像信号処理を行うための設定のための選択データに基づいて、受信部のカメラユニット５−１のコントローラブロック３４−５は、送信部のカメラユニット１、２、３のカメラ部ブロック３１−１、３２−１、３３−１および／または信号処理部ブロック３１−２、３２−２、３３−２の光学調整および／または映像信号処理を行うためのパラメータなどの設定をする。
【００４７】
なお、この受信部のコントローラブロック３４−５を設けたカメラユニット５−１と送信部のカメラユニット１、２、３の送受信部ブロック３１−３、３２−３、３３−３間のネゴシエーションに替えて、カメラユニット５−１のコントローラブロック３４−５は、予めデフォルト値として設定されたパラメータを設定してもよい。
【００４８】
送信部のカメラユニット１、２、３のカメラ部ブロック３１−１、３２−１、３３−１では、式場の画像を撮像し、マイクを内蔵している場合は、式場の音声を収録する。信号処理部ブロック３１−２、３２−２、３３−２では、カメラ部ブロック３１−１、３２−１、３３−１から得られた画像や音声を解像度変換やモード変換したり、増幅したり、位相調整したり、補正したり、符号化したり、暗号化したり、種々のフィルタ処理などのように加工して、いわゆる一般的に言われているベースバンド処理を行う。
【００４９】
制御部ブロック３１−４、３２−４、３３−４では、カメラ部ブロック３１−１、３２−１、３３−１や信号処理部ブロック３１−２、３２−２、３３−２のクロック管理や各種動作の制御を行う。送受信部ブロック３１−３、３２−３、３３−３では、信号処理部ブロック３１−２、３２−２、３３−２より送られてくる信号を無線通信できるように変調処理を行うと共に、アンテナ部ブロック３１−６、３２‐６，３３‐６から送られてきた信号の復調処理を行う。アンテナ部ブロック３１−６、３２‐６，３３‐６では、送受信部ブロック３１−３、３２−３、３３−３で変調された信号の送出及び他の機器から送られてくる信号の受信を行う。
【００５０】
また、上述したように構成された受信部の各部は以下に説明するように動作する。
受信部のカメラ部ブロック３４−１では、ユーザーの視点に立って自ら撮像した自カメラ撮像映像の画像を撮像して映像信号を出力し、マイクを内蔵している場合は、ユーザーの周囲の音声を収録して音声信号を出力する。信号処理部ブロック４３−２では、カメラ部ブロック３４−１から得られた自カメラ撮像映像の映像信号および音声信号を解像度変換やモード変換したり、増幅したり、位相調整したり、補正したり、符号化したり、暗号化したり、種々のフィルタ処理などのように加工してカメラ撮像映像および音声を出力すると共に、アンテナ部ブロック４３−９を介して送信部のカメラユニット１、２、３から送られてきた他のカメラ撮像映像の画像および音声を解像度変換やモード変換したり、増幅したり、位相調整したり、補正したり、復号化したり、解錠したり、種々のフィルタ処理などを施す。
【００５１】
スイッチ部ブロック３４−３は、表示部ブロック３４−７に表示すると共にスピーカを内蔵している場合は音声を出力しおよび記録部ブロック４３−６で記録するカメラ撮像映像の映像信号および音声信号を選択する。スイッチ部ブロック３４−３は、送信部のカメラユニット１、２、３から送られてきた他のカメラ撮像映像の映像信号および音声信号ならびに自カメラ撮像映像の映像信号および音声信号のうちのいずれかのカメラ撮像映像の映像信号および音声信号をユーザーの入力指示により選択して出力する。
【００５２】
制御部ブロック３４−４では、カメラ部ブロック３４−１や信号処理部ブロック４３−２及び記録部ブロック４３−６のクロック管理や各種動作の制御を行う。表示部ブロック３４−７では、信号処理部ブロック４３−２より送られてくる自カメラ撮像映像または他のカメラ撮像映像画像の映像信号を電子ビューファインダ（ＥＶＦ）や液晶パネルなどの表示部ブロック３４−７に表示する。
【００５３】
表示部ブロック３４−７は、スイッチ部ブロック３４−３による選択前には送信部のカメラユニット１、２、３から送られてきた他のカメラ撮像映像の映像信号および音声信号ならびに自カメラ撮像映像の映像信号および音声信号のすべてを表示すると共にスピーカを内蔵している場合は音声を出力し、表示部ブロック３４−７は、スイッチ部ブロック３４−３による選択後には送信部のカメラユニット１、２、３から送られてきた他のカメラ撮像映像の映像信号および音声信号ならびに自カメラ撮像映像の映像信号および音声信号のうちのユーザーの入力指示により選択して出力されるいずれかのカメラ撮像映像の映像信号を表示すると共にスピーカを内蔵している場合は音声を出力する。
【００５４】
記録部ブロック４３−６では、ユーザーの所持しているカメラユニットに備わっている各種記録メディアに、ユーザーの所持しているカメラユニット５−１、５−２、５−３、５−４で自ら撮像した自カメラ撮像映像の画像および音声またはアンテナ部ブロック４３−９を介して送信部のカメラユニット１、２、３から送られてきた他のカメラ撮像映像の映像信号および音声信号のいずれかの記録を行う。
【００５５】
送受信部ブロック３４−８では、アンテナ部ブロック４３−９を介して送信部のカメラユニット１、２、３から送られてきた映像信号の復調処理を行う。アンテナ部ブロック４３−９では、式場に設置された送信部のカメラユニット１、２、３から送られてくる他のカメラ撮像映像の画像や音声信号の受信を行う。
なお、他のカメラユニット５−２、５−３、５−４もコントローラブロック３４−５を除き同様に動作する。
【００５６】
図５は式場に設置されている送信部側のカメラユニット１、２、３の制御フローチャートの一例を示しており、ステップＳ１でカメラ撮像を開始して、ステップＳ２でカメラの映像の解像度をユーザーの所持しているカメラユニットの性能に合わせて調整するのであれば、ステップＳ３でレゾコン（解像度調整器：レゾリューションコントローラ）を用いて解像度変換を行う。またはユーザーの所持しているカメラユニットに同様の機能があるならばステップＳ４でそのまま撮像した画像をベースバンド処理する。
【００５７】
その後ステップＳ５で撮像した画像や収録した音声信号を暗号化する場合には、ステップＳ６でエンコーダにより暗号化処理を行う。それから通信負荷を減らすためにステップＳ７で圧縮処理を必要とするならば、ステップＳ８でコンプレッサを用いて圧縮処理を行ってからステップＳ９で無線通信できるように変調処理して、ステップＳ１０でアンテナから信号を送出する。
【００５８】
図６はユーザーの所持している受信部側のカメラユニット５−１、５−２、５−３、５−４の制御フローチャートの一例を示しており、ステップＳ１１で式場に設置されている送信部のカメラユニット１、２、３から送られてくるカメラ撮像映像の映像信号をアンテナで受信し、ステップＳ１２で復調した後、ステップＳ１３で圧縮処理されている信号であれば、ステップＳ１４でエクスパンダを用いて伸長処理を行う。
【００５９】
その後ステップＳ１５で暗号化されている信号であれば、ステップＳ１６でデコーダを用いて復元処理を行い、ステップＳ１７でユーザーの所持しているカメラユニットの画像や音声との同期をとるために位相調整を行う。
【００６０】
図７は、位相調整を示す図であり、送信部側のカメラユニット１、２、３から図７ＡのＴ１時点でカラーバースト信号の立ち下がりを開始するカメラ１画像、図７ＢのＴ１時点でカラーバースト信号の立ち下がりを開始するカメラ２画像、図７ＣのＴ１時点でカラーバースト信号の立ち下がりを開始するカメラ３画像が配信され、受信部側のカメラユニット５−１、５−２、５−３、５−４に受信された後に同期７１をとって位相調整が行われることにより図７ＤのＴ４時点でカラーバースト信号の立ち下がりを開始するカメラ１調整画像、図７ＥのＴ４時点でカラーバースト信号の立ち下がりを開始するカメラ２調整画像、図７ＦのＴ４時点でカラーバースト信号の立ち下がりを開始するカメラ３調整画像が出力される。
【００６１】
この後ステップＳ１８で式場から送られてきた信号のベースバンド処理する画像が、ユーザーの所持しているカメラユニットの記録可能な画像サイズと異なっている場合には、ステップＳ１９でレゾコンを用いて解像度変換を行う。例えば、送信部側のカメラユニット１、２、３から高画質のカメラ撮像映像が配信されて、受信部側のカメラユニット５−１、５−２、５−３、５−４で通常画質のカメラ撮像映像のみが記録可能なとき、レゾコンを用いて高画質のカメラ撮像映像を通常画質のカメラ撮像映像に解像度変換する。
【００６２】
ユーザーの所持しているカメラユニットに記録する素材は、通常本体カメラの映像や音声であるが、ステップＳ２０でメニューによる選択やスイッチによる選択により、ユーザーの好きな画像や音声をステップＳ２１で記録する。
【００６３】
例えば、図７に示すようにＴ５時点で選択７２の指示が行われることにより図７Ｄのカメラ１調整画像、図７Ｅのカメラ２調整画像または図７Ｆのカメラ３調整画像が選択される。
【００６４】
図８は、カメラ画像と自カメラ画像との選択を示す図であり、図８Ａに示すようにカメラユニット表示部８０−１に図７Ｄのカメラ１調整画像８１、図７Ｅのカメラ２調整画像８２、図７Ｆのカメラ３調整画像８３および自カメラ画像８４の４分割画像が表示され、このうちのいずれか１つをタッチパネルを兼ねるカメラユニット表示部８０−１上の４分割領域を押すことにより選択する。または他の選択キーを押すことにより選択する。これにより、選択された画像のみがカメラユニット表示部８０−１全体に表示される。
【００６５】
または図８Ｂに示すようにカメラユニット表示部８０−２に親画像の自カメラ画像８５および子画像の図７Ｄのカメラ１調整画像８６、図７Ｅのカメラ２調整画像８７、図７Ｆのカメラ３調整画像８８、カメラ４調整画像８９の親子画像が表示され、このうちのいずれか１つをタッチパネルを兼ねるカメラユニット表示部８０−２上の親子画像領域を押すことにより選択する。または他の選択キーを押すことにより選択する。これにより、選択された画像のみがカメラユニット表示部８０−２全体に表示される。
【００６６】
図９はカメラサービスに関する課金フローチャートを示している。この例では課金体制として４例を挙げており、ユーザーは予めサービスを受けるに先立って会場内の端末に対して以下の動作を行うことにより、ユーザーの状況に合わせて、適切なサービスを提供することができる。
【００６７】
このフローチャートに従って説明すると、ステップＳ２１でカメラを持っていないと端末に入力したユーザーには、ステップＳ２２で無線通信機能の付いた専用カメラユニットをレンタルするように端末で処理される。また、ステップＳ２４で無線通信機能が付いていないカメラを持っていると端末に入力したユーザーには、ステップＳ２５で無線通信ユニットとして例えばＵＳＢやワイヤレスＩＥＥＥ１３９４といった各種インターフェースに対応した無線通信ユニットをレンタルするように端末で処理される。
【００６８】
一方、ステップＳ２７無線通信機能付きのカメラを持っている人でも認証機能がないと端末に入力したユーザーには、ステップＳ２８で暗号化処理を式場に設置している送信部のカメラユニットが行わないように処理するなどして対処し、ステップＳ２７で認証機能がある場合には、ステップＳ３０で暗号キーを発行する。
【００６９】
以上の各ステップＳ２２のカメラユニットのレンタル、ステップＳ２５の無線通信ユニットのレンタル、ステップＳ２８の暗号解除およびステップＳ３０のキー数課金のサービスをレンタル数や利用者数などに応じて、各ステップＳ２３のユニット数課金、ステップＳ２６のユニット数課金、ステップＳ２９の利用者数課金およびステップＳ３１のキー数課金で示すように適宜課金することにより、式場経営者は収入を得ることができ、ユーザーは結婚式や披露宴会場の模様を、その場でリアルタイムに自分の所持しているビデオカメラやデジタルカメラに、会場に設置されたカメラの映像や音声を任意に選んで自由に記録することができる。
【産業上の利用可能性】
【００７０】
本発明の無線カメラシステムは、例えば、結婚式場の主催者側が式場内に送信部のカメラユニットを設置して、リアルタイムにカメラ撮像映像を参列者のカメラユニットに配信し、参列者のカメラユニットでリアルタイムに配信されるカメラ撮像映像を任意に選択して表示して記録するサービスに利用可能である。
【図面の簡単な説明】
【００７１】
【図１】結婚式場における無線カメラシステムの設置例を示す図である。
【図２】披露宴会場における無線カメラシステムの設置例を示す図である。
【図３】本発明に用いるカメラシステムのブロック図である。
【図４】本発明に用いる他のカメラシステムのブロック図である。
【図５】カメラユニットの送信側の制御フローチャートである。
【図６】カメラユニットの受信側の制御フローチャートである。
【図７】位相調整を示す図であり、図７Ａはカメラ１画像、図７Ｂはカメラ２画像、図７Ｃはカメラ３画像、図７Ｄはカメラ１調整画像、図７Ｅはカメラ２調整画像、図７Ｆはカメラ３調整画像である。
【図８】カメラ画像と自カメラ画像との選択を示す図であり、図８Ａは４分割画像、図８Ｂは親子画像である。
【図９】カメラサービスの課金フローチャートである。
【符号の説明】
【００７２】
１，２，３…カメラユニット（ユーザー）、４…モニター、５−１，５−２，５−３，５−４…カメラユニット（ユーザー）、１０…結婚式場、１１…牧師、１２…主賓、１３−１、１３−２，１３−３，１３−４…ユーザー、２０…披露宴会場、３１−１、３２−１、３３−１…カメラ部ブロック、３１−２、３２−２、３３−２…信号処理部ブロック、３１−４、３２−４、３３−４…制御部ブロック、３１−３、３２−３、３３−３…送受信部ブロック、３１−６、３２‐６，３３‐６…アンテナ部ブロック、３１−５…コントローラブロック、３４−１…カメラ部ブロック、３４−２…信号処理部ブロック、３４−３…スイッチ部ブロック、３４−４…制御部ブロック、３４−７…表示部ブロック、４３−６…記録部ブロック、３４−８…送受信部ブロック、４３−９…アンテナ部ブロック、３４−５…コントローラブロック、７１…同期、７２…選択、８０−１…カメラユニット表示部、８１…カメラ１調整画像、８２…カメラ２調整画像、８３…カメラ３調整画像、８４…自カメラ画像、８０−２…カメラユニット表示部、８５…自カメラ画像、８６…カメラ１調整画像、８７…カメラ２調整画像、８８…カメラ３調整画像
【図１】
2005051710.tif 000003
【図２】
2005051710.tif 000004
【図３】
2005051710.tif 000005
【図４】
2005051710.tif 000006
【図５】
2005051710.tif 000007
【図６】
2005051710.tif 000008
【図７】
2005051710.tif 000009
【図８】
2005051710.tif 000010
【図９】
2005051710.tif 000011